(57)【要約】【課題】食材の表面に付着した余分な油分、やソースなどを効果的に分離し、回収するもので、回収した液体や油分などが食材に再付着しない構造のトレイ容器を提供する。【解決手段】四周に壁部を有するトレイ容器であって、このトレイ容器の底面の四周を除いた部分を隆起部とし、この隆起部には平行する複数の立ち上がり方向のリブと、これらリブの間にはそれぞれ溝を有し、これらの溝は勾配を与えられた傾斜溝として、前記底面の四周の一部に設けられた油だまりに前記傾斜溝の最低部を連絡させたトレイ容器である。【選択図】図１
2018027790.tif 000002
【特許請求の範囲】
【請求項１】
四周に壁部を有するトレイ容器であって、このトレイ容器の底面の四周を除いた部分を隆起部とし、この隆起部には平行する複数の立ち上がり方向のリブと、これらリブの間にはそれぞれ溝を有し、これらの溝は勾配を与えられた傾斜溝として、前記底面の四周の一部に設けられた油だまりに前記傾斜溝の最低部を連絡させたことを特徴とするトレイ容器。
【請求項２】
複数の傾斜溝は、中央部を境界として一方の傾斜溝と他方の傾斜溝に分かれ、それぞれの勾配を逆の勾配とした請求項１記載のトレイ容器。
【請求項３】
複数の傾斜溝は、これら傾斜溝の中間部からそれぞれ離間する方向に勾配が与えられた切妻状とした請求項１記載のトレイ容器。
【請求項４】
傾斜溝の最高部から底面の外周に向かって平坦部をさらに設けた請求項２記載のトレイ容器。
【請求項５】
平坦部には、さらに枕部を膨出した請求項４記載のトレイ容器。
【発明の詳細な説明】
【技術分野】
【０００１】
本発明は、合成樹脂シートを成形して得られる成形容器に係り、主として載置された調理食材から滲出する食品油や汁気などに食材自身が浸らずに陳列できる構造のトレイ容器に関するものである。
【背景技術】
【０００２】
従来から天ぷらやフライ物のような食材を加工したものをスーパーなどで展示・販売する際に合成樹脂シートを成形したトレイ容器が広く採用されている。そして、これらの容器は衛生のためにトレイ容器を同様に成形した蓋で遮蔽することが一般的である。もちろん、蓋を採用せずにトレイ容器の開口を樹脂フィルムなどで覆う形態が採用されることもある。
【先行技術文献】
【特許文献】
【０００３】
【特許文献１】特開２０００−１８５７８７号公報
【特許文献２】特開２０００−１９１０４０号公報
【特許文献３】特開２００３−１９２０７４号公報
【発明の概要】
【発明が解決しようとする課題】
【０００４】
ところで、トレイ容器の底面の構造として一番単純なものは平坦面を有する底であるが、全体の強度を確保するためにまずは底面や壁面にリブが採用された。続いて近年はこの種のトレイ容器の多様化にともなって、内部に収容する被収容物の特質に応じた底面の構造を持つトレイ容器が開発されている。このような開発の方向は、非発泡性樹脂シートを用いたトレイ容器についても、発泡性樹脂シートを用いたトレイ容器についても同様である。
【０００５】
そして、食材から滲出した油分などの液体や、食材表面に付着した水分が食材に滞留しないような構成についても、種々開発されている。特許文献１に示された発明では、生鮮食料品から流出した水を交互に並列する複数の凸条と、凹溝に設けられた複数の凹壺によって、トレイ内に溜めるようにしている。特許文献２に示された発明では、トレイの底面に膨出部が形成され、この膨出部に生鮮物を載せた場合に膨出部間に存在する集水溝に生鮮物から染み出した水を集めようとしている。また、特許文献３に示された発明では、容器の底壁に傾斜溝とリブを交互に形成し、この傾斜溝によってリブで支持した食材と水滴や油分との接触を有効に防止しようとしている。
【０００６】
上記各特許文献のうち、特許文献１は凹溝に設けられた小さい凹壺に水を捕獲するようにしているが、凹壺が捕獲できる量の水分を超えて生鮮食料品から水が流出した場合にどのように対処するかという点については考慮されていない。また、特許文献２の集水溝とは実質的にはトレイの底面を指しており、第１と第２の集水溝が存在するように記載されているが、実質的には同一平面をなす底面である。したがって、集められた水は集水溝を自由に移動することができ、安定した状態で捕獲することができないという課題がある。また、特許文献３では、傾斜溝によって水滴や油分を食品と分離させて一定の場所に回収するものであるが、傾斜溝はリブと同じ高さ、あるいはリブと同じ平面から始まっている。そうすると、食材から分離する対象が粘度の高い油分やソース類などの場合には傾斜溝の開始点付近では粘性が高いので滞留してしまい、予想した通りには回収することができないという課題を有している。
【０００７】
本発明は、上記従来の技術が有する課題を一気に解決するもので、特に調理食材の場合に内部から滲出した液体や、表面に付着した余分な油分、あるいは粘性が高いソースなどを効果的に分離し、回収するもので、回収した液体や油分などが食材に再付着しない構造のトレイ容器を提供することを目的とするものである。
【課題を解決するための手段】
【０００８】
本発明は、上述した目的を達成するために、トレイ容器の底の構造を改良した。具体的には、四周に壁部を有するトレイ容器であって、このトレイ容器の底面の四周を除いた部分を隆起部とし、この隆起部には平行する複数の立ち上がり方向のリブと、これらリブの間にはそれぞれ溝を有し、これらの溝は勾配を与えられた傾斜溝として、前記底面の四周の一部に設けられた油だまりに前記傾斜溝の最低部を連絡させるという手段を用いた。この構成では、リブが食材を陳列する場所として機能し、傾斜溝は食材から出た油分などを捕獲してその勾配に沿って油分を油だまりに導く機能を有している。
【０００９】
さらに、複数の傾斜溝の具体的な構成としては、中央部を境界として一方の傾斜溝と他方の傾斜溝に分け、それぞれの勾配を逆の勾配とする手段も用いた。この手段では、中央部を境界として傾斜溝の勾配が逆勾配となるので、食材から滲出した油分が油だまりの特定の場所に集中することはなく、油だまりから油分が溢れ出ることを回避する。また、傾斜溝の最高部から底面の外周に向かって平坦部をさらに設ける手段を採用することによって、例えば食材にソースのパウチが添えられている場合に、これを載置する場所として機能し、さらに平坦部に枕部を膨出する手段では、枕部が食材がソースのパウチに接触して油汚れになることを回避する作用を行う。
【００１０】
さらに別の手段として、複数の傾斜溝は、これら傾斜溝の中間部からそれぞれ離間する方向に勾配が与えられた切妻状とするようにした。このようにすると、傾斜溝の勾配を大きく設定することができ、油分が傾斜溝内に滞留することを確実に防止する。
【発明の効果】
【００１１】
本発明は、上記手段を採用することとしたので、例えば油分を豊富に含む天ぷらやフライ物などを陳列する場合であっても、リブに食材を載置すれば油分が傾斜溝に捕獲され、その勾配にしたがって油分が油だまりに導かれるので、食材の購入者が食事に供するまで最適な状態を維持することができるようになった。
【図面の簡単な説明】
【００１２】
【図１】本発明のトレイ容器の好ましい実施形態の一つを示す平面図
【図２】図１のＡ−Ａ線端面図
【図３】図１のＢ−Ｂ線断面図
【図４】図１のＣ−Ｃ線断面図
【図５】他の実施形態を示す横断面図
【発明を実施するための形態】
【００１３】
以下、本発明の好ましい実施の形態を添付した図面に従って説明する。図１は、本発明のトレイ容器の一実施形態を示した平面図である。当該トレイ容器は、基本的な構成として、底面１と、この底面の周囲から立ち上がった壁部２からなるが、壁部２の構成は特に限定するものではなく、底面１から立ち上がって必要であれば蓋（図示せず）を組み合わせたり、開口を樹脂フィルムで遮蔽するに十分な範囲で公知の蓋を採用することができる。
【００１４】
図において、３ａ・３ｂはそれぞれ水平で同一高さの立ち上がり方向に設けられたリブ、４ａ・４ｂはそれぞれ矢印方向に勾配を持つ傾斜溝であって、図１においてはトレイ容器の長手方向中央部を境界として逆方向の勾配が与えられている。図２はリブ３と傾斜溝４の関係を示した端面図であるが、図１の底面形状とは厳密には一致していない。図２に示した構成は、リブ３と傾斜溝４が交互に波形に出現することが容易に把握できることを主としたものであり、その目的において理解すべきである。なお、図２からは、トレイ容器の底面１は四周を除いた部分全体を隆起部としていることが示されており、この隆起部にリブ３ａ・３ｂと傾斜溝４ａ・４ｂが設けられている。５・５は、傾斜溝４ａ・４ｂのそれぞれ最低部６に連続し、傾斜溝４ａ・４ｂの勾配に沿って流れ落ちた油分や食材の滲出液を捕獲するための油だまりである。図３は、図１の右半分に出現する傾斜溝３ａを示したものであり、図４は、図１の左半分に出現する傾斜溝３ｂを示したものであるが、図３、図４ともに図２の場合と同様に細部については一部省略して示している。油だまり５には図示したように長さ方向に直角状に細かいリブ７が形成されているが、これは捕獲した油分などが油だまり５の内部で容易に移動しないようにすること、及び底面１全体の強度を確保するためのものであるが、省略することもある。なお、リブ３ａ・３ｂの高さは、全ての高さが一致することが強度確保の面、及び審美性などの面から好ましいが、リブ３と傾斜溝４によって繰り返し出現する凹凸がトレイ容器の底面１の奥行を強調し、リブ３の表面に陳列される食材のボリューム感を演出することができるのであれば、それぞれのリブ３同士の高さを完全に一致させる必要はない。これについては、適宜選択できる事項であるが、必要なことはリブ３によって区画される傾斜溝４が油分などを捕獲するに十分な深さであり、かつ凹凸による奥行が視認できるのであれば、特に問うものではない。
【００１５】
なお、本実施形態では油だまり５を矩形の底面１の対角を挟んでそれぞれＬ字状としているが、必ずしも短辺部分５ａまで延長するものではない。要は、食材から滲出する油分などを十分に油だまり５で捕獲できるのであれば、直線状の部分のみで構成することも可能である。
【００１６】
図１において、８・８はそれぞれ傾斜溝４ａ・４ｂの最高部側に設けられた平坦部であり、アーチ状に膨出した枕部９・９が設けられている。枕部９は、ソースなどのパウチを置くためであるが、併せて食材が移動した場合のストッパとしても機能し、食材がパウチに接触して油汚れしないようにしている。そして、必要であればこの部分にパウチに封入されたソースや汁が置かれ、滲出した油分などで汚れないようにしている。１０・１０はそれぞれ平坦部８の外周側に設けられ、平坦部８の高さとほぼ同等の高さの仕切り部であって、平坦部８と協働してソースなどのパウチを置く場所として機能する。また、当該仕切り部１０によって油だまり５の両端を区画する機能も有している。仕切り部１０にも、油だまり５に設けられたリブ７と同様に、必要に応じてリブ１１が設けられることがある。
【００１７】
上述した実施形態のトレイ容器は、主にフライ物や空揚げなどのように油分を含む食材や、時間の経過にしたがって内部の液体が滲出することが不可避な野菜のお浸しなどが陳列される。そして、必要であればソースのパウチが平坦部８、仕切り部１０に載置され、枕部９にはパウチの端部や口部が位置決めされる。このようにすると、食材から滲出した油分などは食材自身が再度吸収することなく傾斜溝４ａ・４ｂに流れ込み、傾斜に沿って油だまり５に流入する。また、本実施形態では油だまり５とパウチを載置する箇所である平坦部８や仕切り部１０とは明確に分けられており、容器が運搬時に揺れた場合でも捕獲した油分がパウチを汚すことを回避することができる。このようにして、食材は食前まで適切な状態を維持する。なお、本実施形態ではトレイ容器の左右方向半分で傾斜溝４ａ・４ｂの傾斜方向を逆にし、さらにこれに対応して油だまり５、平坦部８、仕切り部１０などの設置場所を対称にしている。このようにすることによって、食材から滲出する油分が多い場合でも一部に偏って溜まることがなく、不要な油分の溢れ出しを避けることができる。
【００１８】
図１に示した実施形態は、トレイ容器を横長の矩形として説明したが、リブ３と傾斜溝４の関係については矩形である必要はなく、底面が正方形、円形、楕円形であってもよく、その形状にとらわれることなく広く適用することができるのはいうまでもない。
【００１９】
図５は、図３、及び図４に示した傾斜溝４ａ・４ｂとは別の実施形態を示したもので、図面の中央部を一番高くして、図面上の左右方向に対称に勾配を有する傾斜溝４ｃ・４ｄが設けられた切妻状としたものである。なお、傾斜溝の形態として、切妻状に換えて中央部が一番高くなるようなアーチ状、あるいは楕円弧状とすることもある。このように構成することによって、油分は両方向に流下する。特に切妻状とした場合には、勾配の角度は図３、図４に示した傾斜溝の勾配よりも大きくなるので、傾斜溝に流入した油分などがより流れやすくなり、粘性が高い油分であっても傾斜溝に残留することなく効果的に油だまりに捕獲することができる。
【００２０】
本実施形態では、トレイ容器本体についてのみ説明したが、この発明が適用される容器としては、別体としての蓋でトレイ本体を遮蔽することであっても、ヒンジによってトレイ容器と蓋が接続されているフードパックであってもよいことはもちろんである。
【符号の説明】
【００２１】
１  底面
２  壁部
３  リブ
４ａ〜４ｄ  傾斜溝
５  油だまり
８  平坦部
９  枕部
１０  仕切り部
【図１】
2018027790.tif 000003
【図２】
2018027790.tif 000004
【図３】
2018027790.tif 000005
【図４】
2018027790.tif 000006
【図５】
2018027790.tif 000007